(57)【要約】【課題】絶縁シート取付作業の作業効率を向上させることができる絶縁シート取付具を提供する。【解決手段】間接活線工法で防護対象に絶縁シート２を被せる絶縁シート取付作業に用いるための絶縁シート取付具１０であって、絶縁ヤットコ３で開閉させて高圧引下線１等の線条体を挟持するための間接活線工事用クリップ２０と、手で開閉させて絶縁シート２を挟持するためのクリップ３０と、クリップ３０を間接活線工事用クリップ２０と回転可能に所定の間隔を保って連結させるための連結棒４０および２個の鍔４１とを具備する。【選択図】図１
2018201305.tif 000002
【特許請求の範囲】
【請求項１】
間接活線工法で防護対象に絶縁シート（２）を被せる絶縁シート取付作業に用いるための絶縁シート取付具（１０）であって、
前記絶縁ヤットコ（３）で開閉させて線条体（１）を挟持するための間接活線工事用クリップ（２０）と、
手で開閉させて前記絶縁シートを挟持するためのクリップ（３０）と、
該クリップを前記間接活線工事用クリップと回転可能に連結させるための連結手段（４０，４１）と、
を具備することを特徴とする、絶縁シート取付具。
【請求項２】
前記連結手段が、
一端が前記間接活線工事用クリップに固定されているとともに前記クリップを該クリップの幅方向に貫通した連結棒（４０）と、
該連結棒に固定されるとともに前記間接活線工事用クリップと前記クリップ３０との間隔を前記所定の間隔に保つための２個の鍔（４１）と、
を備えることを特徴とする、請求項１記載の絶縁シート取付具。
【請求項３】
前記間接活線工事用クリップが、
長尺帯状に形成された一対の挟持部（２１）と、
該一対の挟持部の長手方向の基端部側に配置されるとともに、該一対の挟持部の幅方向に挿通された固定軸、該一対の挟持部を閉状態に付勢するための付勢手段および該一対の挟持部の基端側の外周部を取り巻くように嵌合された環状部材を備える連結部（２２）と、
前記絶縁ヤットコで把持して前記連結部の前記付勢手段の付勢力に抗して前記一対の挟持部を閉状態から開状態に切り替えるための一対の把持部（２３）とを備え、
前記クリップが、
長さが前記一対の挟持部よりも短くなるように長尺帯状に形成された一対の挟み部（３１）と、
該一対の挟み部の長手方向の基端部側に配置されるとともに、該一対の挟み部の幅方向に挿通された他の固定軸、該一対の挟み部を閉状態に付勢するための他の付勢手段および該一対の挟み部の基端側の外周部を取り巻くように嵌合された他の環状部材を備える他の連結部（３２）とを備え、
前記クリップの前記他の連結部が備える前記他の環状部材および他の固定軸に、前記連結棒を該クリップの幅方向に貫通させるための貫通孔が形成されている、
ことを特徴とする、請求項２記載の絶縁シート取付具。
【発明の詳細な説明】
【技術分野】
【０００１】
本発明は、間接活線工法で防護対象に絶縁シートを被せる作業に用いるのに好適な絶縁シート取付具に関する。
【背景技術】
【０００２】
従来、間接活線工法で防護対象（高圧引下線等の充電部）に絶縁シートを被せる作業（以下、「絶縁シート取付作業」と称する。）では、絶縁シートの形を防護対象の形状に沿わせる際に一人の作業者が必ず風で飛ばないように絶縁シートを絶縁ヤットコ３（図４参照）で支持しておき、他の作業者が絶縁シートを折り曲げて防護対象に被せたのち、絶縁シートをシートクリップで固定している。
【０００３】
なお、本出願人は、下記の特許文献１において、金属製の電柱に絶縁シートを容易かつ適正に配設するために、変形自在なシート状で磁力によって電柱に着脱自在に取り付けられる着脱シートと、着脱シートの表面側に設けられ、絶縁シートの第１の面ファスナと着脱自在に接合する第２の面ファスナとを備え、着脱シートを電柱の所望の位置に取り付け、第１の面ファスナを第２の面ファスナに接合させて絶縁シートを着脱シートに取り付けるようにした電柱用絶縁シート取付具を提案している。
【先行技術文献】
【特許文献】
【０００４】
【特許文献１】特開２０１５−００６０１９号公報
【発明の概要】
【発明が解決しようとする課題】
【０００５】
しかしながら、従来の絶縁シート取付作業では、他の作業者がシートクリップで絶縁シートを固定し終わるまで一人の作業者は絶縁シートを支持しておく必要があるため、絶縁シートを防護対象に被せるのに時間が掛るという問題があった。
【０００６】
本発明の目的は、絶縁シート取付作業の作業効率を向上させることができる絶縁シート取付具を提供することにある。
【課題を解決するための手段】
【０００７】
本発明の絶縁シート取付具は、間接活線工法で防護対象に絶縁シート（２）を被せる絶縁シート取付作業に用いるための絶縁シート取付具（１０）であって、前記絶縁ヤットコ（３）で開閉させて線条体（１）を挟持するための間接活線工事用クリップ（２０）と、手で開閉させて前記絶縁シートを挟持するためのクリップ（３０）と、該クリップを前記間接活線工事用クリップと回転可能に連結させるための連結手段（４０，４１）とを具備することを特徴とする。
ここで、前記連結手段が、一端が前記間接活線工事用クリップに固定されているとともに前記クリップを該クリップの幅方向に貫通した連結棒（４０）と、該連結棒に固定されるとともに前記間接活線工事用クリップと前記クリップ３０との間隔を前記所定の間隔に保つための２個の鍔（４１）とを備えてもよい。
前記間接活線工事用クリップが、長尺帯状に形成された一対の挟持部（２１）と、該一対の挟持部の長手方向の基端部側に配置されるとともに、該一対の挟持部の幅方向に挿通された固定軸、該一対の挟持部を閉状態に付勢するための付勢手段および該一対の挟持部の基端側の外周部を取り巻くように嵌合された環状部材を備える連結部（２２）と、前記絶縁ヤットコで把持して前記連結部の前記付勢手段の付勢力に抗して前記一対の挟持部を閉状態から開状態に切り替えるための一対の把持部（２３）とを備え、前記クリップが、長さが前記一対の挟持部よりも短くなるように長尺帯状に形成された一対の挟み部（３１）と、該一対の挟み部の長手方向の基端部側に配置されるとともに、該一対の挟み部の幅方向に挿通された他の固定軸、該一対の挟み部を閉状態に付勢するための他の付勢手段および該一対の挟み部の基端側の外周部を取り巻くように嵌合された他の環状部材を備える他の連結部（３２）とを備え、前記クリップの前記他の連結部が備える前記他の環状部材および他の固定軸に、前記連結棒を該クリップの幅方向に貫通させるための貫通孔が形成されていてもよい。
【発明の効果】
【０００８】
本発明の絶縁シート取付具は、間接活線工事用クリップを介して線条体に絶縁シートを支持させられるため、二人の作業者が協働して絶縁シートを防護対象に被せてシートクリップで固定できるので、絶縁シート取付作業の作業効率を向上させることができるという効果を奏する。
【図面の簡単な説明】
【０００９】
【図１】本発明の一実施例による絶縁シート取付具１０について説明するための図であり、（ａ）は絶縁シート取付具１０の通常時の状態を示す正面図であり、（ｂ）はクリップ３０を間接活線工事用クリップ２０に対して１８０°だけ回転させた状態を示す正面図である。
【図２】図１（ａ），（ｂ）に示した絶縁シート取付具１０を用いて高圧引下線１に絶縁シート２を被せる作業手順について説明するための図であり、（ａ）〜（ｄ）は手順１〜４についてそれぞれ説明するための図である。
【図３】図１（ａ），（ｂ）に示した絶縁シート取付具１０を用いて高圧引下線１に絶縁シート２を被せる作業手順について説明するための図であり、（ａ），（ｂ）は手順５，６についてそれぞれ説明するための図である。
【図４】絶縁ヤットコ３および他の絶縁ヤットコ３’を示す図である。
【発明を実施するための形態】
【００１０】
上記の目的を、手で開閉させて絶縁シートを挟持するためのクリップを絶縁ヤットコで開閉させて線条体を挟持するための間接活線工事用クリップと回転可能に連結させることによりに実現した。
【実施例１】
【００１１】
以下、本発明の絶縁シート取付具の実施例について図面を参照して説明する。
本発明の一実施例による絶縁シート取付具１０は、図１（ａ）に示すように、間接活線工事用クリップ２０と、クリップ３０と、連結棒４０と、２個の円環状の鍔４１とを具備する。
【００１２】
ここで、間接活線工事用クリップ２０は、絶縁ヤットコ３（図４参照）を用いて線条体（図２（ｃ）に示す高圧引下線１等）を挟持するために従来から使用されているものであり、一対の挟持部２１（表側の挟持部２１のみ図示）と、一対の挟持部２１を回動可能に連結する連結部２２と、一対の把持部２３（表側の把持部２３のみ図示）とを備える。
なお、以下の説明では、一対の挟持部２１が当接した状態を「閉状態」と称し、一対の挟持部２１が離間した状態を「開状態」と称し、一対の把持部２３が当接した状態を「閉状態」と称し、一対の把持部２３が互いに離間した状態を「開状態」と称する。
【００１３】
一対の挟持部２１は、線条体を先端側で挟持するためのものであり、長尺帯状に形成されている。
【００１４】
連結部２２は、一対の挟持部２１の長手方向の基端部側に配置されており、一対の挟持部２１の幅方向に挿通された固定軸と、一対の挟持部２１を閉状態に付勢するための付勢手段として機能する捩りバネ（固定軸の中央部に巻き付けられた巻回部と、巻回部の両端から末広がりに拡開させて延びたかつ一対の把持部２３の対向面側に押し当てられた一対の線状部とを備える。）と、固定軸の挿通箇所の外側で一対の挟持部２１の基端側の外周部を取り巻くように嵌合された環状部材とを備える。
【００１５】
一対の把持部２３は、連結部２２の捩りバネの付勢力に抗して一対の挟持部２１を閉状態から開状態に切り替えるためのものであり、一対の挟持部２１が閉状態のときに互いに漸次離間するように連結部２２から一対の挟持部２１とは反対の斜め方向に向けて延出しているとともに、絶縁ヤットコ３を操作して連結部２２の捩りバネの付勢力に抗して一対の把持部２３を互いに接近させることにより一対の挟持部２１を閉状態から開状態に切り替えられるようにされている。
【００１６】
クリップ３０は、作業員の手で開閉させて絶縁シート２を挟持するためのものであり、一対の挟み部３１（表側の挟み部３１のみ図示）と、一対の挟み部３１を回動可能に連結する連結部３２と、一対の摘み部３３（表側の摘み部３３のみ図示）とを備える。
なお、以下の説明では、一対の挟み部３１が当接した状態を「閉状態」と称し、一対の挟み部３１が離間した状態を「開状態」と称し、一対の摘み部３３が当接した状態を「閉状態」と称し、一対の摘み部３３が互いに離間した状態を「開状態」と称する。
【００１７】
一対の挟み部３１は、絶縁シート２を挟持するためのものであり、間接活線工事用クリップ２０の一対の挟持部２１と同様に長尺帯状に形成されているが、長さは一対の挟持部２１よりも短くされている。
【００１８】
連結部３２は、間接活線工事用クリップ２０の連結部２２と同様に、一対の挟み部３１の長手方向の基端部側に配置されており、一対の挟み部３１の幅方向に挿通された固定軸と、一対の挟み部３１を閉状態に付勢するための付勢手段として機能する捩りバネ（固定軸の中央部に巻き付けられた巻回部と、巻回部の両端から末広がりに拡開させて延びたかつ一対の摘み部３３の対向面側に押し当てられた一対の線状部とを備える。）と、固定軸の挿通箇所の外側で一対の挟み部３１の基端側の外周部を取り巻くように嵌合された環状部材とを備える。
連結部３２の環状部材および固定軸には、連結棒４０をクリップ３０の幅方向（横方向）に貫通させるための貫通孔が形成されている。
【００１９】
一対の摘み部３３は、間接活線工事用クリップ２０の一対の把持部２３と同様に、連結部３２の捩りバネの付勢力に抗して一対の挟み部３１を閉状態から開状態に切り替えるためのものであり、一対の挟み部３１が閉状態のときに互いに漸次離間するように連結部３２から一対の挟み部３１とは反対の斜め方向に向けて延出しているとともに、作業員が手で連結部３２の捩りバネの付勢力に抗して一対の摘み部３３を互いに接近させることにより一対の挟み部３１を閉状態から開状態に切り替えられるようにされている。
【００２０】
連結棒４０は、クリップ３０を間接活線工事用クリップ２０と回転可能に連結させるためのものである。
そのため、連結棒４０は、右端が間接活線工事用クリップ２０の連結部２２の左端面に固定されているとともに、クリップ３０の連結部３２の環状部材および固定軸を貫通している。
【００２１】
２個の鍔４１は、間接活線工事用クリップ２０とクリップ３０との間隔を５ｍｍ程度に保つとともにクリップ３０が連結棒４０から外れないようにするためのものである。
そのため、２個の鍔４１は、クリップ３０の連結部３２の幅（長手方向の長さ）と略同じ間隔をもって連結棒４０に固定されている。
すなわち、左の鍔４１は連結棒４０の左端部に固定されており、右の鍔４１は間接活線工事用クリップ２０の連結部２２の左端面から５ｍｍ程度の位置に固定されている。
【００２２】
これにより、作業員は、手でクリップ３０を掴んで連結棒４０を中心として回転させることにより、クリップ３０を間接活線工事用クリップ２０に対して任意の角度で回転させることができる。
なお、図１（ｂ）に、クリップ３０を間接活線工事用クリップ２０に対して１８０°だけ回転させたときの絶縁シート取付具１０の状態を示す。
【００２３】
次に、絶縁シート取付具１０の使用方法の一例として、絶縁シート取付具１０を用いて高圧引下線１に絶縁シート２を被せる作業手順について、図２（ａ）〜（ｄ）および図３（ａ），（ｂ）を参照して説明する。
なお、図面の簡単のため、図２（ａ），（ｂ）では作業員の手を図示していないとともに、図２（ｃ），（ｄ）および図３（ａ），（ｂ）では絶縁ヤットコ３（図４参照）は図示していない。
【００２４】
（手順１）作業員は、一方の手でクリップ３０を掴んで連結棒４０を中心として回転させることにより、クリップ３０を間接活線工事用クリップ２０に対して１８０°だけ回転させ（図２（ａ）の矢印参照）、手でクリップ３０の一対の摘み部３３を摘まんで互いに接近させることにより一対の挟み部３１を開状態にし、もう一方の手で絶縁シート２を持って絶縁シート２の右上隅部をクリップ３０の一対の挟み部３１の間に挿入したのち（同図の矢印参照）、一対の摘み部３３を漸次離間させて一対の摘み部３３を閉状態にすることにより、同図に示すように絶縁シート２をクリップ３０に挟持させる。
【００２５】
（手順２）作業員は、図２（ｂ）に矢印で示すように絶縁シート取付具１０を反時計回りに９０°だけ手で回転させて、絶縁シート２が下側になるようにする。
【００２６】
（手順３）作業員は、絶縁ヤットコ３を操作して、間接活線工事用クリップ２０の一対の把持部２３を把持したのち、図２（ｃ）に矢印で示すように絶縁シート２がクリップ３０で挟持された絶縁シート取付具１０を高圧引下線１の手前まで近付けていく。
【００２７】
（手順４）作業員は、絶縁シート取付具１０を高圧引下線１の手前まで近付けると、絶縁ヤットコ３を操作して、間接活線工事用クリップ２０の一対の把持部２３を互いに接近させて一対の挟持部２１を開状態にし、図２（ｄ）に矢印で示すように高圧引下線１を一対の挟持部２１の間に挿入したのち、一対の把持部２３を漸次離間させて閉状態にすることにより、同図に示すように高圧引下線１を間接活線工事用クリップ２０に挟持させる。
これにより、絶縁シート２を高圧引下線１に絶縁シート取付具１０を介して支持させることができるため、作業者は風で飛ばないように絶縁シート２を絶縁ヤットコ３で支持しておく必要がなくなる。
【００２８】
（手順５）他の作業員は、他の絶縁ヤットコ３’（図４参照）を操作して、絶縁シート２の右端部を絶縁ヤットコ３で把持する。
他の作業員は、他の絶縁ヤットコ３’を操作して、図３（ａ）に矢印で示すように絶縁シート２を高圧引下線１の裏側を通して左方向（作業員と反対側）に引っ張っていく。
このとき、絶縁シート２を把持しているクリップ３０は間接活線工事用クリップ２０と回転可能に連結されているため、他の作業員が絶縁シート２を左方向に引っ張っていく際にクリップ３０が支障となることはない。
この間に、作業員は、絶縁ヤットコ３を間接活線工事用クリップ２０から取り外す。
【００２９】
（手順６）作業員は、絶縁シート２の約１／３が高圧引下線１の左側に出ると、取り外した絶縁ヤットコ３を操作して、絶縁ヤットコ３で絶縁シート２を挟持する。
他の作業員は、作業員が絶縁ヤットコ３で絶縁シート２を把持したことを確認すると、他の絶縁ヤットコ３’を絶縁シート２から取り外す。
作業員は、他の作業員が他の絶縁ヤットコ３’を絶縁シート２から取り外したことを確認すると、絶縁ヤットコ３を操作して、絶縁シート２を折り返したのちに図３（ｂ）に矢印で示すように高圧引下線１の表側を通して右方向（作業員側）に引っ張っていく。
このときも、絶縁シート２を把持しているクリップ３０は間接活線工事用クリップ２０と回転可能に連結されているため、作業員が絶縁シート２を右方向に引っ張っていく際にクリップ３０が支障となることはない。
作業員は、同図に示すように折り返した絶縁シート２の表側部分が絶縁シート２の裏側部分と略重なり合うと、絶縁ヤットコ３を絶縁シート２から取り外し、また、他の作業員は、他の絶縁ヤットコ３’を用いて複数個のシートクリップで絶縁シート２を固定していって、作業を終了する。
【００３０】
以上では、絶縁シート取付具１０の使用方法の一例として高圧引下線１に絶縁シート２を被せる場合について説明したが、電柱から延びる腕金に取り付けられた碍子等に絶縁シート２を被せる場合等においても絶縁シート取付具１０を使用することができる。
【符号の説明】
【００３１】
１  高圧引下線
２  絶縁シート
３，３’  絶縁ヤットコ
１０  絶縁シート取付具
２０  間接活線工事用クリップ
２１  挟持部
２２  連結部
２３  把持部
３０  クリップ
３１  挟み部
３２  連結部
３３  摘み部
４０  連結棒
４１  鍔
【図１】
2018201305.tif 000003
【図２】
2018201305.tif 000004
【図３】
2018201305.tif 000005
【図４】
2018201305.tif 000006